【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
ボンディングパッドは、前記２相のクロックパルスをそれぞれ供給する２本のクロックパルスラインが接続されるボンディングパッドと、前記発光素子の各制御電極に電源電圧を供給する電源電圧ラインが接続されるボンディングパッドとのみよりなることを特徴とする自己走査型発光装置。
【請求項２】
請求項１に記載の自己走査型発光装置において、
前記電源電圧を、前記発光素子の各制御電極に、各負荷抵抗を介して供給し、
最初に発光すべき発光素子の制御電極に接続される負荷抵抗の値を、他の負荷抵抗の値より小さくすることを特徴とする自己走査型発光装置。
【請求項３】
請求項１に記載の自己走査型発光装置において、
前記２相のクロックパルスラインの一方を、ダイオードを介して、最初に発光すべき発光素子の制御電極に接続したことを特徴とする自己走査型発光装置。
【請求項４】
請求項１に記載の自己走査型発光装置において、
前記２相のクロックパルスラインの一方を、抵抗を介して、最初に発光すべき発光素子の制御電極に接続したことを特徴とする自己走査型発光装置。
【請求項５】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
ボンディングパッドは、前記２相のクロックパルスをそれぞれ供給する２本のクロックパルスラインが接続されるボンディングパッドと、最初に発光すべき発光素子の制御電極にスタートパルスを供給するスタートパルスラインが接続されるボンディングパッドとのみよりなることを特徴とする自己走査型発光装置。
【請求項６】
請求項５に記載の自己走査型発光装置において、
前記２相のクロックパルスラインを、ダイオード−ダイオードロジックの論理和回路を介して、前記発光素子の各制御電極に電源電圧を供給する電源電圧ラインに接続したことを特徴とする自己走査型発光装置。
【請求項７】
発光のためのしきい電圧もしくはしきい電流が外部から電気的に制御可能な３端子発光素子多数個を、一次元的に配列し、
隣接する発光素子のしきい電圧もしくはしきい電流を制御する制御電極を、電圧もしくは電流の一方向性をもつ電気的手段にて互いに接続し、
前記一次元的に配列された各発光素子の残りの２端子のうちの一方に、外部から２相のクロックパルスを、それぞれ１素子おきに供給し、
一方の相のクロックパルスにより、ある発光素子が発光しているとき、その発光素子近傍の発光素子のしきい電圧もしくはしきい電流を、前記電気的手段を介して変化させ、
他方の相のクロックパルスにより、前記ある発光素子に隣接する発光素子を発光させる自己走査型発光装置において、
ボンディングパッドは、２相のクロックパルスをそれぞれ供給する２本のクロックパルスラインが接続されるボンディングパッドのみよりなることを特徴とする自己走査型発光装置。
【請求項８】
請求項７に記載の自己走査型発光装置において、
前記２相のクロックパルスラインを、ダイオード−ダイオードロジックの論理和回路を介して、前記発光素子の各制御電極に電源電圧を供給する電源電圧ラインに接続し、
前記２相のクロックパルスラインの一方を、ダイオードを介して、最初に発光すべき発光素子の制御電極に接続したことを特徴とする自己走査型発光装置。
【請求項９】
請求項７に記載の自己走査型発光装置において、
前記２相のクロックパルスラインを、ダイオード−ダイオードロジックの論理和回路を介して、前記発光素子の各制御電極に電源電圧を供給する電源電圧ラインに接続し、
前記２相のクロックパルスラインの一方を、抵抗を介して、最初に発光すべき発光素子の制御電極に接続したことを特徴とする自己走査型発光装置。
【請求項１０】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
ボンディングパッドは、前記２相のクロックパルスをそれぞれ供給する２本のクロックパルスラインが接続されるボンディングパッドと、前記発光素子の各制御電極に電源電圧を供給する電源電圧ラインが接続されるボンディングパッドと、前記発光のための電流を印加するラインが接続されるボンディングパッドとのみよりなることを特徴とする自己走査型発光装置。
【請求項１１】
請求項１０に記載の自己走査型発光装置において、
前記電源電圧を、前記転送素子の各制御電極に、各負荷抵抗を介して供給し、
最初に発光すべき発光素子の制御電極に接続される負荷抵抗の値を、他の負荷抵抗の値より小さくすることを特徴とする自己走査型発光装置。
【請求項１２】
請求項１０に記載の自己走査型発光装置において、
前記２相のクロックパルスラインの一方を、ダイオードを介して、最初にオンすべき転送素子の制御電極に接続したことを特徴とする自己走査型発光装置。
【請求項１３】
請求項１０に記載の自己走査型発光装置において、
前記２相のクロックパルスラインの一方を、抵抗を介して、最初にオンすべき転送素子の制御電極に接続したことを特徴とする自己走査型発光装置。
【請求項１４】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
ボンディングパッドは、前記２相のクロックパルスをそれぞれ供給する２本のクロックパルスラインが接続されるボンディングパッドと、最初に発光すべき発光素子の制御電極にスタートパルスを供給するスタートパルスラインが接続されるボンディングパッドと、前記発光のための電流を印加するラインが接続されるボンディングパッドとのみよりなることを特徴とする自己走査型発光装置。
【請求項１５】
請求項１４に記載の自己走査型発光装置において、
前記２相のクロックパルスラインを、ダイオード−ダイオードロジックの論理和回路を介して、前記発光素子の各制御電極に電源電圧を供給する電源電圧ラインに接続したことを特徴とする自己走査型発光装置。
【請求項１６】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
前記一次元的に配列された各転送素子の残りの２端子のうちの一方に、外部から２相のクロックパルスを、それぞれ１素子おきに供給し、
一方の相のクロックパルスにより、ある転送素子がオンしているとき、その転送素子近傍の転送素子のしきい電圧もしくはしきい電流を、前記電気的手段を介して変化させ、
他方の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に発光のための電流を印加するラインを設けた自己走査型発光装置において、
ボンディングパッドは、２相のクロックパルスをそれぞれ供給する２本のクロックパルスラインが接続されるボンディングパッドと、前記発光のための電流を印加するラインが接続されるボンディングパッドとのみよりなることを特徴とする自己走査型発光装置。
【請求項１７】
請求項１６に記載の自己走査型発光装置において、
前記２相のクロックパルスラインを、ダイオード−ダイオードロジックの論理和回路を介して、前記発光素子の各制御電極に電源電圧を供給する電源電圧ラインに接続し、
前記２相のクロックパルスラインの一方を、ダイオードを介して、最初にオンすべき転送素子の制御電極に接続したことを特徴とする自己走査型発光装置。
【請求項１８】
請求項１６に記載の自己走査型発光装置において、
前記２相のクロックパルスラインを、ダイオード−ダイオードロジックの論理和回路を介して、前記発光素子の各制御電極に電源電圧を供給する電源電圧ラインに接続し、
前記２相のクロックパルスラインの一方を、抵抗を介して、最初にオンすべき転送素子の制御電極に接続したことを特徴とする自己走査型発光装置。
【請求項１９】
請求項１〜１８のいずれかに記載の自己走査型発光装置を備える光プリンタ。